(57)【要約】      （修正有）【課題】保護板の裏面周辺に加飾印刷部を形成して他部材との固定のための接合部材を配置した場合であっても、紫外線等による影響による接合部材の剥離を防止して、長期的な接着強度の確保を実現することができるタッチパネル付き表示装置を提供する。【解決手段】表示装置１は、タッチパネル２が保護板４の周辺部に形成された加飾印刷部４１と重なる領域に配置されるように、タッチパネル２の端部２ｂが延在されて形成され、接合部材５をタッチパネル２の裏面２ａに配置して、表示装置１とタッチパネル２、タッチパネル２と筐体６を接合部材５により接着させる。【選択図】図２
2017126141.tif 000002
【特許請求の範囲】
【請求項１】
画像を表示する表示面を有する表示装置と、
前記表示面と対応する位置に配置されたタッチパネルと、
透光性を有し、外周部に加飾印刷部を設けた、前記タッチパネルを保護する保護板と、
透光性を有し、前記タッチパネルと前記保護板との間隙に配設され、前記タッチパネルと前記保護板とを貼り合せる透明樹脂と、を備え、
前記タッチパネルは、平面視で前記保護板の加飾印刷部と重なる位置まで延在して形成され、
前記加飾印刷部と重なる位置において、前記表示装置と前記タッチパネルを固定する接合部材を備えたことを特徴とする、タッチパネル付き表示装置。
【請求項２】
画像を表示する表示面を有する表示装置と、
前記表示面と対応する位置に配置されたタッチパネルと、
透光性を有し、外周部に加飾印刷部を設けた、前記タッチパネルを保護する保護板と、
透光性を有し、前記タッチパネルと前記保護板との間隙に配設され、前記タッチパネルと前記保護板とを貼り合せる透明樹脂と、
前記表示装置およびタッチパネルを保持する枠状の筐体と、を備え、
前記タッチパネルは、平面視で前記保護板の加飾印刷部と重なる位置まで延在して形成され、
前記加飾印刷部と重なる位置において、前記筐体と前記タッチパネルとを固定する接合部材を備えたことを特徴とする、タッチパネル付き表示装置。
【請求項３】
画像を表示する表示面を有する表示装置と、
前記表示面と対応する位置に配置されたタッチパネルと、
透光性を有し、外周部に加飾印刷部を設けた、前記タッチパネルを保護する保護板と、
透光性を有し、前記タッチパネルと前記保護板との間隙に配設され、前記タッチパネルと前記保護板とを貼り合せる透明樹脂と、
前記表示装置およびタッチパネルを保持する枠状の筐体と、を備え、
前記タッチパネルは、平面視で前記保護板の加飾印刷部と重なる位置まで延在して形成され、
前記加飾印刷部と重なる位置において、前記表示装置と前記タッチパネル、および前記筐体と前記タッチパネルとを固定する接合部材を備えたことを特徴とする、タッチパネル付き表示装置。
【請求項４】
前記接合部材は、前記表示装置と前記タッチパネルおよび前記タッチパネルと前記筐体とをそれぞれ固定するよう、断面視で分割して配置されている、請求項３記載のタッチパネル付き表示装置。
【請求項５】
前記接合部材は、前記表示装置と前記タッチパネルおよび前記タッチパネルと前記筐体とに跨って固定されるよう、断面視で一体配置されている、請求項３記載のタッチパネル付き表示装置。
【発明の詳細な説明】
【技術分野】
【０００１】
本発明はタッチパネル付き表示装置に関する。
【背景技術】
【０００２】
屋外設置用のタッチパネル付き表示装置、たとえば液晶を用いたタッチパネル付き液晶表示装置では、外部からの衝撃および降雨による浸水から保護するため、タッチパネルの前面を樹脂製またはガラス製の透明状の保護板で覆い、保護板の周辺部に防水加工を施している場合がある。
【０００３】
特許文献１に開示されたタッチパネル付き表示装置は、保護板の裏面周辺に加飾印刷が施されており、加飾印刷部に対応して配置される接合部材により、保護板と筐体、あるいは保護板とタッチパネルを接着している。
【先行技術文献】
【特許文献】
【０００４】
【特許文献１】特開２０１４−１０６４２５号公報
【発明の概要】
【発明が解決しようとする課題】
【０００５】
上記のようなタッチパネル付き表示装置では、屋外等で長期間紫外線を受けた場合、保護板の裏面に形成された加飾印刷部が劣化してしまう。このため、劣化した加飾印刷部が配置されている接合部材が剥離する場合がある。
【０００６】
この発明は、上記のような問題点を解消するためになされたものであって、保護板を有するタッチパネル付き表示装置において、保護板の裏面周辺に加飾印刷部を形成して他部材との固定のための接合部材を配置した場合であっても、紫外線等による影響を受けることを防止して、長期的な接着強度の確保を実現することができるタッチパネル付き表示装置を提供することを目的とする。
【課題を解決するための手段】
【０００７】
この発明に係るタッチパネル付き表示装置は、画像を表示する表示面を有する表示装置と、表示面と対応する位置に配置されたタッチパネルと、透光性を有し、外周部に加飾印刷部を設けた、タッチパネルを保護する保護板と、透光性を有し、タッチパネルと保護板との間隙に配設され、前記タッチパネルと前記保護板とを貼り合せる透明樹脂と、を備え、タッチパネルは、平面視で前記保護板の加飾印刷部と重なる位置まで延在して形成され、加飾印刷部と重なる位置において、表示装置とタッチパネルを固定する接合部材を備えたことを特徴とする。
【発明の効果】
【０００８】
本発明によるタッチパネル付き表示装置において、保護板の裏面周辺に加飾印刷部を形成して他部材との固定のための接合部材を配置した場合であっても、紫外線等による影響を受けることを防止して、長期的な接着強度の確保を実現することができる。
【図面の簡単な説明】
【０００９】
【図１】本発明のタッチパネル付き表示装置に係る平面図である。
【図２】図１のＡ-Ａ断面図である
【図３】本発明のタッチパネル付き表示装置の変形例に係る断面図である。
【発明を実施するための形態】
【００１０】
以下、本発明の適用可能な実施の形態について、図面に基づいて説明する。以下の説明は、本発明の実施形態を説明するためのものであり、本発明が以下の実施の形態に限定されるものではない。また、図中、既出の図において説明したものと同一の構成には同一の符号を付し、その説明を省略する。
【００１１】
図１は、本発明のタッチパネル付き表示装置に係る平面図、図２は図１のＡ-Ａ断面図である。
【００１２】
図１、図２に示すように、本発明におけるタッチパネル付き表示装置１００は、画像を表示する表示面１ａ（紙面上方）を有する表示装置１と、表示装置１の表示面１ａ側に配置されるタッチパネル２と、タッチパネル２の前面２ａ（紙面上方）を保護する保護板４と、タッチパネル２と保護板４との間隙に設置される透明樹脂３と、タッチパネル２と表示装置１とを固定する接合部材５、タッチパネル２と筐体６とを固定する接合部材５を備えて構成される。
【００１３】
表示装置１には、液晶材料の複屈折性を応用した液晶表示パネルや、文字や絵が透明板に印刷された表示板等の表示パネルが用いられる。液晶表示パネルは、基板上にカラーフィルター、遮光層等が形成されたカラーフィルター基板と、基板上にスイッチング素子となる薄型トランジスタ（Ｔｈｉｎ  Ｆｉｌｍ  Ｔｒａｎｓｉｓｔｏｒ：以下、ＴＦＴと称する）、画素電極等が形成されたＴＦＴ基板を対向させて配置している。両基板の間隔を保持するためのスペーサーと、カラーフィルター基板とＴＦＴ基板とを張り合わせるためのシール材と、カラーフィルター基板とＴＦＴ基板の間に挟持される液晶材料を備え、液晶を配向させる配向膜と、偏光板とによって構成されている。液晶表示パネルは、スイッチング素子による電圧のオン又はオフにより液晶層の配向を制御して、液晶表示パネルに入射した光を映像信号に合わせて変調して表示を行なう。また、表示パネルには、光を照射する光源装置を保持している。光源装置は、光源および光源からの光を面状に出射する導光板、導光板の光出射面側に導光板の光を拡散、制御するための光学シート、導光板の反光出射面側には導光板から出射した光を再び導光板に入射させるための反射シートなど、これらの部材を保持するリアフレームなどからなる（いずれも図示せず）。
【００１４】
本実施の形態で用いられるタッチパネル２は、基板間に対向電極を形成してタッチされた位置の電極の反応で、タッチパネル２が駆動するものである。タッチパネル２には静電容量方式、抵抗膜方式などあるが、本実施の形態においては、タッチパネル２の方式については限定しない。
【００１５】
保護板４は、タッチパネル２の前面２ａを覆うように設けられ、タッチパネル２の前面２ａを保護する。保護板４は、透光性を有する材料であればよく、ガラスまたはアクリル樹脂などの絶縁性材料を適用することができる。
【００１６】
また、保護板４の前面４ａと対向する裏面４ｂであって、タッチパネル２の前面２ａと対向する位置の保護板４の周辺部には、加飾印刷部４１が設けられる。加飾印刷部４１は有機系の材料により構成され、保護板４の周辺部を遮光することにより、保護板４の前面４ａ側から光が視認されることを防止する。
【００１７】
透明樹脂３は、タッチパネル２と保護板４との間隙に配置され、硬化処理によってタッチパネル２と保護板４とを接着する。透明樹脂３は、透光性を有し、初期は一定の粘性を有する液体状あるいはゲル状であり、紫外線の照射に代表されるような材料特有の硬化処理によって、一定の硬度を有して硬化する。
【００１８】
本発明のタッチパネル付き表示装置１００は、保護板４の周辺部に配置された加飾印刷部４１を配置する端部まで、タッチパネル２の端部２ｂを延長させている。すなわち、タッチパネル２は平面視（図１）において、保護板４の周辺部に配置された加飾印刷部４１と、重なる領域（加飾印刷部４１の配置領域内）に配置されるように、タッチパネル２の端部２ｂを延長させる。
【００１９】
筐体６は、表示装置１、タッチパネル２を保持する枠状の保持部材であって、裏面２ｃの周辺部と対向する上面部６ａにタッチパネル２が固定される。
【００２０】
また、表示装置１とタッチパネル２、タッチパネル２と筐体６とは、図２に示すように接合部材５を配置して両者を固定している。接合部材５は、樹脂などの材料により構成される粘着部材や基材の両面に接着材料を配置した、両面テープなどが用いられる。接合部材５は、タッチパネル２の裏面２ａであって、加飾印刷部４１と重なる領域内に配置される。また、接合部材５は、表示装置１とタッチパネル２、タッチパネル２と筐体６とそれぞれを固定するように分割されて配置される。
【００２１】
タッチパネル２が保護板４の周辺部に形成された加飾印刷部４１と重なる領域に配置されるように、タッチパネル２の端部２ｂが延在されて形成され、接合部材５をタッチパネル２の裏面２ａに配置して、表示装置１とタッチパネル２、タッチパネル２と筐体６を接合部材５により接着させている。すなわち、加飾印刷部４１を設ける周辺部において、タッチパネル２を介して、保護板４と表示装置１および筐体６とが接合部材５で接着されている。
【００２２】
以上説明したように、本実施の形態によるタッチパネル付き表示装置１００は、屋外等で長期間紫外線を受けた場合等により、加飾印刷部４１が劣化した場合であっても、タッチパネル２を介して接着部材５を配置しているため、接着部材５が加飾印刷部４１の劣化の影響を受けることを防止することができる。よって、保護板４と表示装置１または筐体６との長期的な接着強度の確保を実現することができる。
【００２３】
また、加飾印刷部４１の劣化により、接合部材５が剥離することを防止することができ、本実施の形態の構造において、表示装置１または筐体６からタッチパネル２および保護板４が脱落することを防止することができる。
【００２４】
また、接合部材５の接着面がタッチパネル２の裏面２ａであるため、平滑面であって、接合部材５が加飾印刷部４１を介さないため、加飾印刷部４１に接合部材５を配置する場合と比較して、接着強度を強くすることができる。よって、接着部材５を配置する接着面積を従来と比較して狭くすることができるため、額縁の狭いタッチパネル付き表示装置１００を得ることができる。
【００２５】
また、接合部材５は表示装置１と筐体６とに分割して配置しているため、表示装置１の表示面１ａと筐体６の上面部６ａの高さが一致していな場合、接合部材５の厚みを変えて対応することができ、筐体設計の自由度を確保することができる。
【００２６】
図３はタッチパネル付き表示装置の変形例に係る断面図である。図２のタッチパネル付き表示装置１００において、接合部材５は表示装置１と筐体６とに分割して配置したが、図３に示すように、接合部材５は表示装置１と筐体６とに跨って配置してもよい、このように構成することで、接合部材５が分割されていないので、タッチパネル２を筐体６および表示装置１に貼り付け時の作業が容易となる。
【００２７】
また、表示装置１とタッチパネル２を固定する接合部材５とタッチパネル２と筐体６を固定する接合部材５を一体化することで、部品点数の削減、及び組立作業の減少を図ることができ製造コストの低減が可能となる。
【００２８】
なお、本発明は、上述の各例に限定されるものではなく、材料構成、配置位置などにおいて、本発明の構成を逸脱しない範囲において、種々の変形、変更が可能であることは言うまでもない。
【符号の説明】
【００２９】
１  表示装置、２  タッチパネル、２ａ  前面、２ｂ  端部、２ｃ  裏面、
３  透明樹脂、４  保護板、４ａ  前面、４ｂ  裏面、４１  加飾印刷部、
５  接合部材、６  筐体、１００  タッチパネル付き表示装置。
【図１】
2017126141.tif 000003
【図２】
2017126141.tif 000004
【図３】
2017126141.tif 000005